(57)【要約】【課題】複数種類の通貨を一括して投入可能とし、利用者が両替を希望する複数種類の通貨の各投入金額及び合計両替金額を計算することを不要とする。【解決手段】複数種の入金通貨を一括して受け入れかつ出金通貨を排出する接客口２と、入金通貨を計数し鑑別する鑑別部２２と、収納庫２４と、入金通貨を収納庫２４に搬送し、出金通貨を収納庫２４から接客口２へ搬送する搬送路部２１と鑑別部２２の計数結果から出金通貨の両替金額を計算する計算部１８と、計算部１８が計算した投入金額３８及び両替金額４０を表示するとともに利用者による両替を希望する入金通貨の選択操作を受け付ける操作表示部７とを設け、選択操作に従って、選択されなかった入金通貨は接客口２へ排出する。【選択図】    図1
2014115762.tif 000002
【特許請求の範囲】
【請求項１】
通貨両替を行う自動取引装置において、
複数種の入金通貨を一括して受け入れ、前記入金通貨を繰り出し、かつ出金通貨を排出する接客口と、
前記入金通貨を計数し、鑑別する鑑別部と、
前記入金通貨及び前記出金通貨を収納する収納庫と、
前記入金通貨を前記収納庫に搬送し、前記出金通貨を前記収納庫から前記接客口へ搬送する搬送路部と、
前記鑑別部の計数結果から前記入金通貨毎の投入金額と前記出金通貨の両替金額を計算する計算部と、
前記計算部が計算した前記出金通貨の合計両替金額を表示するとともに、前記入金通貨から利用者に両替を希望する前記入金通貨を選択させるために前記複数種の前記入金通貨毎の投入金額と両替金額を表示する表示部と、
前記利用者による前記両替を希望する前記入金通貨の選択操作を受け付ける入力部と、
前記選択操作に従って、前記搬送路部に対し搬送動作を指示するとともに前記利用者により選択されなかった前記入金通貨は前記接客口へ排出するように制御する制御部を設けたことを特徴とする自動取引装置。
【請求項２】
前記鑑別手段により鑑別した前記入金通貨を一時保留する一時保留部と、
前記一時保留部に保留した前記入金通貨の順序を記憶する記憶部とを有し、
前記制御部は、前記入金通貨を一時保留部から繰り出し、前記利用者により選択された前記入金通貨は前記収納庫に収納し、選択されなかった前記入金通貨は前記接客口へ排出することを特徴とする請求項１記載の自動取引装置。
【請求項３】
前記鑑別手段により判別した前記入金通貨を一時保留する一時保留部とを有し、
前記制御部は、前記入金通貨を一時保留部から繰り出し、前記利用者により選択された前記入金通貨は前記鑑別部を介して前記収納庫に収納し、選択されなかった前記入金通貨は前記鑑別部を介して前記接客口へ排出することを特徴とする請求項１記載の自動取引装置。
【請求項４】
前記鑑別手段により判別した前記入金通貨を一時保留する一時保留部と、
前記利用者により選択されなかった前記入金通貨を格納する取消庫とを有し、
前記制御部は、前記入金通貨を一時保留部から繰り出し、前記利用者により選択された前記入金通貨は前記鑑別部を介して前記収納庫に収納し、選択されなかった前記入金通貨は前記鑑別部を介して前記取消庫に一旦格納し、その後前記接客口へ排出することを特徴とする請求項１記載の自動取引装置。
【請求項５】
前記利用者による前記両替を希望する前記入金通貨の選択操作は、前記入金通貨の種別の選択であることを特徴とする請求項１乃至４いずれか一記載の自動取引装置。
【請求項６】
前記利用者による前記両替を希望する前記入金通貨の選択操作は、前記入金通貨の金額の一部両替であることを特徴とする請求項１乃至４いずれか一記載の自動取引装置。
【請求項７】
通貨両替を行う自動取引装置において、
複数種の入金通貨を一括して受け入れ、前記入金通貨を繰り出し、かつ出金通貨を排出する接客口と、
前記入金通貨を計数し、鑑別する鑑別部と、
前記入金通貨及び前記出金通貨を収納する収納庫と、
前記入金通貨を前記収納庫に搬送し、前記出金通貨を前記収納庫から前記接客口へ搬送する搬送路部と、
前記鑑別部の計数結果から前記入金通貨毎の投入金額と前記出金通貨の両替金額を計算する計算部と、
前記計算部が計算した前記出金通貨の合計両替金額を表示するとともに、前記入金通貨から利用者に両替を希望しない前記入金通貨を選択させるために前記複数種の前記入金通貨毎の投入金額と両替金額を表示する表示部と、
前記利用者による前記両替を希望しない前記入金通貨の選択操作を受け付ける入力部と、
前記選択操作に従って、前記搬送路部に対し搬送動作を指示するとともに前記利用者により選択された前記入金通貨は前記接客口へ排出するように制御する制御部を設けたことを特徴とする自動取引装置。
【請求項８】
前記鑑別手段により鑑別した前記入金通貨を一時保留する一時保留部と、
前記一時保留部に保留した前記入金通貨の順序を記憶する記憶部とを有し、
前記制御部は、前記入金通貨を一時保留部から繰り出し、前記利用者により選択されなかった前記入金通貨は前記収納庫に収納し、選択された前記入金通貨は前記接客口へ排出することを特徴とする請求項７記載の自動取引装置。
【請求項９】
前記鑑別手段により判別した前記入金通貨を一時保留する一時保留部とを有し、
前記制御部は、前記入金通貨を一時保留部から繰り出し、前記利用者により選択されなかった前記入金通貨は前記鑑別部を介して前記収納庫に収納し、選択された前記入金通貨は前記鑑別部を介して前記接客口へ排出することを特徴とする請求項７記載の自動取引装置。
【請求項１０】
前記鑑別手段により判別した前記入金通貨を一時保留する一時保留部と、
前記利用者により選択された前記入金通貨を格納する取消庫とを有し、
前記制御部は、前記入金通貨を一時保留部から繰り出し、前記利用者により選択されなかった前記入金通貨は前記鑑別部を介して前記収納庫に収納し、選択された前記入金通貨は前記鑑別部を介して前記取消庫に一旦格納し、その後前記接客口へ排出することを特徴とする請求項７記載の自動取引装置。
【請求項１１】
前記利用者による前記両替を希望しない前記入金通貨の選択操作は、前記入金通貨の種別の選択であることを特徴とする請求項７乃至１０いずれか一記載の自動取引装置。
【請求項１２】
前記入金通貨が外貨であり、前記出金通貨が円であることを特徴とする請求項１乃至１１いずれか一記載の自動取引装置。
【請求項１３】
前記入金通貨が外貨及び円であり、前記出金通貨が前記入金通貨と異なる外貨であることを特徴とする請求項１乃至１１いずれか一記載の自動取引装置。
【請求項１４】
前記表示部は、入金した通貨の種類、複数の通貨の各々の投入金額、外貨交換レート、手数料、各出金通貨金額及び合計出金通貨金額のいずれか又は全部を表示することを特徴とする請求項１乃至１３いずれか一記載の自動取引装置。
【発明の詳細な説明】
【技術分野】
【０００１】
本発明は、外国通貨両替取引が可能な自動取引装置に関するものである。
【背景技術】
【０００２】
従来、自動取引装置により外国通貨から日本円に両替取引を行う場合、通過の投入の前に利用者に両替を希望する通貨を選択させ、当該通貨のレートを表示していた。そして、利用者は表示されたレートに従い利用者自らが計算を行い、両替を希望する通貨を自動取引装置に投入することにより日本円に両替していた。
【０００３】
なお、特開２０００−１１３２８５号公報（特許文献１）には、通貨両替機能を有する自動化機器が記載されている。特許文献１には、自動化機器において、複数ヶ国の紙幣を認識し、ホストコンピュータより両替のレート及び手数料を入手し、投入された外国通貨紙幣の両替を行う発明が記載されている。
【０００４】
また、特開２００６−２４４２５７号公報（特許文献２）には、日本円を外国通貨に両替するための外国通貨両替機のような取引装置が記載されている。特許文献２には、取引に先立って、当該取引の内容を印字した計算書を利用者に提供することにより、利用者が事前に取引内容を検討した上で取引を行う発明が記載されている。
【先行技術文献】
【特許文献】
【０００５】
【特許文献１】特開２０００−１１３２８５号公報
【特許文献２】特開２００６−２４４２５７号公報
【発明の概要】
【発明が解決しようとする課題】
【０００６】
しかしながら、従来の技術によれば複数種類の外国通貨（ドル、ユーロ等）がある場合、利用者は表示されたレートを確認し入金通貨に対する両替金額を計算しなければならなかった。即ち、両替を希望する複数種類の入金通貨の各投入金額を利用者自らが事前に計数することにより、更に、日本円へ両替を行った場合の複数種類別の両替金額及び合計両替金額を表示されたレートから自ら計算をすることにより、両替を行うか否か判断をしなければならなかった。そして、通貨の種類毎に分けて自動取引装置に投入し、その都度日本円に両替するという手続が必要であった。
【０００７】
本発明が解決しようとする課題は、複数種類の通貨を一括して投入可能とし、利用者が両替を希望する複数種類の通貨の各投入金額を事前に計数することを不要とし、日本円へ両替を行った場合の各両替金額及び合計両替金額を計算することを不要とする自動取引装置を提供することにある。
【課題を解決するための手段】
【０００８】
上記課題を解決するために本発明は、通貨両替を行う自動取引装置において、複数種の入金通貨を一括して受け入れ、前記入金通貨を繰り出し、かつ出金通貨を排出する接客口と、前記入金通貨を計数し、鑑別する鑑別部と、前記入金通貨及び前記出金通貨を収納する収納庫と、前記入金通貨を前記収納庫に搬送し、前記出金通貨を前記収納庫から前記接客口へ搬送する搬送路部と、前記鑑別部の計数結果から前記入金通貨毎の投入金額と前記出金通貨の両替金額を計算する計算部と、前記計算部が計算した前記出金通貨の合計両替金額を表示するとともに、前記入金通貨から利用者に両替を希望する前記入金通貨を選択させるために前記複数種の前記入金通貨毎の投入金額と両替金額を表示する表示部と、前記利用者による前記両替を希望する前記入金通貨の選択操作を受け付ける入力部と、前記選択操作に従って、前記搬送路部に対し搬送動作を指示するとともに前記利用者により選択されなかった前記入金通貨は前記接客口へ排出するように制御する制御部を設けたことを特徴とするものである。
【発明の効果】
【０００９】
上記構成を有する本発明によれば、複数種の入金通貨を一括して受け入れ、入金通貨を繰り出し、かつ出金通貨を排出する接客口と、前記入金通貨を計数し、鑑別する鑑別部と、前記鑑別部の計数結果から前記入金通貨毎の投入金額と前記出金通貨の両替金額を計算する計算部と、前記計算部が計算した前記入金通貨毎の投入金額と前記出金通貨の両替金額を表示する表示部とを設けたので、複数種類の通貨を一括して投入可能とし、更に利用者が両替を希望する複数種類の通貨の各投入金額を事前に計数することを不要とし、かつ日本円へ両替を行った場合の各両替金額及び合計両替金額を計算することも不要とする自動取引装置を提供することが可能になる。
【００１０】
更に、本発明により接客口へ一括投入した入金通貨について、表示部へ表示した各両替金額及び合計両替金額をもとに両替を希望する入金通貨の選択をさせるようにしたので、誤って投入した外貨について日本円への両替を避けることができ、利用者にとって使い勝手のよい自動取引装置を提供することができる。
【図面の簡単な説明】
【００１１】
【図１】第１の実施の形態に関する動作の概要を示すフローチャートである。
【図２】第１の実施の形態に関する自動取引装置の外観図である。
【図３】第１の実施の形態に関する自動取引装置の構成図である。
【図４】第１の実施の形態に関する紙幣処理部の入金処理を示す説明図である。
【図５】第１の実施の形態に関する外貨両替内容確認画面を示す説明図である。
【図６】第１の実の形態に関する外貨収納返却ルートを示す説明図である。
【図７】第１の実施の形態に関する外貨収納返却処理のフローチャートである。
【図８】第２の実施の形態に関する動作の概要を示すフローチャートである。
【図９】第２の実の形態に関する外貨収納返却ルートを示す説明図である。
【図１０】第２の実施の形態に関する外貨収納返却処理のフローチャートである。
【図１１】第３の実施の形態に関する外貨収納返却ルートを示す説明図である。
【図１２】第３の実施の形態に関する外貨収納返却処理のフローチャートである。
【図１３】実施の形態の変形例に関する外貨両替内容確認画面を示す説明図である。
【発明を実施するための形態】
【００１２】
（第１の実施の形態）
以下、第１の実施の形態を図面に従って説明する。図２は第１の実施の形態に関する自動取引装置（以下ＡＴＭという）１の外観図である。ＡＴＭ１は銀行等の金融機関やコンビニエンスストア等に設置され、入出金取引及び外国通貨（以下外貨という）両替取引が可能である。ＡＴＭ１は外貨両替取引において、利用者に対して入金外貨を投入させ又は返却する外貨若しくは両替した出金通貨としての日本円を排出するための紙幣投入返却口としての接客口２を有する。外貨両替取引等の入金外貨を投入する取引においては、利用者が当該接客口２に紙幣をセットすると、これをＡＴＭ１が自動計数し、装置内部に取込む。出金紙幣を利用者に払出す取引においては、ＡＴＭ１が紙幣を自動計数し、当該接客口２に集積することにより、利用者が取出し可能とする。前記接客口２にはシャッタ５が設けられ、利用者が紙幣を投入又は取出すときに開き、それ以外は閉じている。
【００１３】
また、ＡＴＭ１は同じく、入金硬貨を投入又は返却するための硬貨投入返却口３を有する。入金硬貨をＡＴＭ１に投入する取引において、利用者が当該硬貨投入返却口３に硬貨をセットすると、これをＡＴＭ１が自動計数し、装置内部に取込む。出金硬貨を利用者に払出す取引においては、ＡＴＭ１が硬貨を自動計数し、当該硬貨投入返却口３に集積することにより、利用者が取出し可能とする。更に、ＡＴＭ１はキャッシュカードのカード挿入口４及び通帳の通帳挿入口６を有する。そして、ＡＴＭ１は、利用者が操作するための入力機能と表示機能を備えた利用者操作表示画面７を有する。利用者操作表示画面７はタッチパネル式であり、例えば本実施の形態に関する外貨両替内容確認画面３１等を表示する。
【００１４】
図３は第１の実施の形態に関するＡＴＭ１の構成図である。装置制御部１０はＡＴＭ１の各部と接続され、各部を制御する。当該装置制御部１０はＲＡＭやＲＯＭ又はハードディスク等で構成された装置記憶部１１と接続され、装置記憶部１１に記憶された制御プログラムにより動作する。また、装置制御部１０は外貨両替に関するレート及び手数料等の各処理に必要なデータを装置記憶部１１に書き込むことができ、必要に応じて装置記憶部１１から読み出すことができる。また、装置制御部１０は、ホストコンピュータ１００と図示しない通信部を介して接続され、外貨両替に関するレート及び手数料等の入出金取引に関する情報を交換する。本実施の形態に関し、装置記憶部１１は後述する鑑別部２２が行った外貨、換言すると一時保留部２３に格納した外貨に関する金種、枚数及び複数種類の外貨の順序に従った一枚毎の種別を記憶する。
【００１５】
紙幣処理部１２は、利用者により前記接客口２から投入される入金外貨を真偽鑑別し、計数し、搬送して後述する収納庫としての金種別収納カセット２４ｘ、２４ｙ、２４ｚに収納する。更に、利用者に支払われる出金紙幣を所定の金種別収納カセット２４ｘ、２４ｙ、２４ｚより繰り出し、接客口２に集積するものである。従って、紙幣処理部１２は、後述するように接客口２、搬送路２１、鑑別部２２、一時保留部２３及び金種別収納カセット２４ｘ、２４ｙ、２４ｚを有する。
【００１６】
硬貨処理部１３は、利用者により前記硬貨投入返却口３から投入される硬貨を真偽鑑別し、計数し、搬送して図示しない硬貨収納部に収納し、又は利用者に支払われる硬貨を硬貨収納部より繰り出し硬貨投入返却口３に集積するものである。利用者操作表示部１４は前記利用者操作表示画面７を制御する。利用者操作表示部１４は、後述する日本円の両替金額４０の表示と、複数種の入金外貨から利用者に両替を希望する入金外貨を選択させるための前記入金外貨毎の投入金額３８等を表示する。更に利用者操作表示部１４は利用者による両替を希望する入金外貨の選択操作を受け付ける。
【００１７】
カード処理部１５は利用者が前記カード挿入口４から挿入したキャッシュカードの情報を読取る。通帳記帳部１６は前記通帳挿入口６から挿入された通帳に取引記録を印字する。レシート処理部１７はレシートの印刷処理を行ない、取引終了時にレシートを前記カード挿入口４から排出する。計算部１８は本発明に関する外貨両替取引において、紙幣処理部１２の鑑別部２２の計数結果から後述する入金外貨毎の投入金額３８と日本円の両替金額４０を計算する。投入金額３８は外貨の金種に枚数を掛けることにより算出する。外貨毎の日本円への両替金額４０−１は、投入金額３８にレート３９を掛けることにより算出する。合計両替金額４０−２は各両替金額４０−１の和により算出する。
【００１８】
図４は第１の実施の形態に関する紙幣処理部の入金処理を示す説明図である。同図において、紙幣処理部１２の接客口２は利用者により操作可能な位置に設けられ、シャッタ５が開閉することにより、利用者が取出し可能に出金紙幣を集積するとともに、利用者から投入される入金外貨を受け入れる。接客口２は内部に接客口分離集積機構３２を備え、接客口分離集積機構３２により利用者が投入した入金外貨を後述する入出金搬送路部としての搬送路２１に１枚毎に繰り出す。そして、出金紙幣を搬送路２１から一枚毎に受け取って接客口２に集積する。
【００１９】
入出金搬送路部としての搬送路２１は、入金外貨を接客口２から金種別収納カセット２４ｘ、２４ｙ、２４ｚに搬送し、かつ日本円を金種別収納カセット２４ｘ、２４ｙ、２４ｚから接客口２へ搬送する。搬送路２１はその間、鑑別部２２と一時保留部２３を接続する。搬送路２１は、図示しない搬送ベルト及び搬送ローラによって形成され、図示しないローラ駆動モータによって駆動される。搬送路２１は、図示のように搬送路２１ａ乃至２１ｍからなる。更に、一時保留部２３の出口の搬送路２１ｅの分岐点には、搬送方向を搬送路２１ｂ及び搬送路２１ｃに切り替える切替ブレード２８を有する。
【００２０】
鑑別部２２は搬送路２１上に設けられ、入出金時に搬送路２１を搬送される外貨の真偽、金種、正損の鑑別を行なうとともに、重送、連鎖、斜行等の搬送異常の検知、及び金種が確定した紙幣の計数を行なう。鑑別及び計数の結果は、前述の通り装置記憶部１１で記憶される。
【００２１】
一時保留部２３は、鑑別部２２に対し入金時の紙幣の搬送方向下流側に設けられ、鑑別部２２で入金可能と判定された外貨を一時保留する。一時保留部２３による一部保留は、利用者による後述する外貨両替内容確認画面３１による確認入力の操作が行なわれるまで行われる。外貨両替内容確認画面３１での確認入力の操作が行なわれると、一時保留部２３から鑑別部２２を経由して所定の金種別収納カセット２４ｘ、２４ｙ、２４ｚへ搬送される。一時保留部２３は、紙幣を取込むためのゲートローラと紙幣を１枚毎に分離して繰り出すためのピックアップローラからなる一時保留部分離集積機構３３を内部に有する。
【００２２】
収納庫としての金種別収納カセット２４ｘ、２４ｙ、２４ｚは複数のカセットが金種別に設けられ、これらは外貨を収容する外貨専用カセットでもよく、ドル専用カセット又はユーロ等の外貨共用カセットでもよい。更に、万円券を収容する万券カセットでもよく二千円券及び５千円券の共用カセットでもよい。金種別収納カセット２４ｘ、２４ｙ、２４ｚはそれぞれ後述する収納カセット分離集積機構３４ｘ、３４ｙ、３４ｚにより出金時は収納している紙幣を１枚毎に搬送路２１に繰り出し、かつ入金時は搬送路２１から紙幣を集積する。同図では金種別収納カセット２４ｘ、２４ｙ、２４ｚを３個のみ図示しているが、これに限られるものではなく運用形態に応じて複数備えるものであればよい。リジェクトカセット２５は搬送路２１の末端に設けられ、鑑別部２２でリジェクトされた出金紙幣がリジェクト分離集積機構３５によって集積される。
【００２３】
同図に示すように入金時は、取引選択画面において利用者が外貨両替取引を選択した後、紙幣を接客口２に投入すると、シャッタ５が閉じられ、投入された紙幣は接客口２から搬送路２１を搬送されて鑑別部２２へ送られる。ここで出金に使用可能と判定されると、紙幣は一旦前記一時保留部２３へ搬送される。即ち、入金時の紙幣の経路は、接客口２の接客口分離集積機構３２から搬送路２１ａ及び２１ｂを経て、鑑別部２２を通り、鑑別結果に従って正常券は搬送路２１ｃ及び２１ｄを経て前記一時保留部２３へ集積される。一方、異常券は搬送路２１ｃ及び２１ｆを経て接客口２に返却される。
【００２４】
更に、日本円の出金時は、利用者が外貨両替内容確認画面３１での確認操作を入力すると、その両替金額に相当する紙幣が金種別収納カセット２４ｘ、２４ｙ、２４ｚから繰り出され、鑑別部２２へ送られる。鑑別部２２で出金に問題ないと判定されると、搬送路２１を搬送されて接客口２へ送られる。両替金額に相当する紙幣が接客口２に集積されると、前記シャッタ５が開けられ、利用者は日本円を取出すことができる。即ち、出金時の紙幣の経路は、金種別収納カセット２４ｘ、２４ｙ、２４ｚの収納カセット分離集積機構３４ｘ、３４ｙ、３４ｚから搬送路２１ｈ、２１ｊ又は２１ｋ及び２１ｇ、２１ｂを経て、鑑別部２２を通り、鑑別結果により正常券は搬送路２１ｃ、２１ｆを経由して接客口２へ集積される。一方、リジェクト券は搬送路２１ｉ、２１ｍを経てリジェクトカセット２５に集積される。
【００２５】
図１は第１の実施の形態に関する動作の概要を示すフローチャートである。
Ｓ１０１：装置制御部１０は利用者操作表示部１４に対し、図示しない取引選択画面を表示するよう指示する。取引選択画面は、通常の自動取引装置が表示する「預入」、「引出」、「振替」、「振込」、「通帳記帳」及び「残高照会」ボタンに加えて、「外貨両替」ボタンを表示する。利用者は外貨両替取引を行うときは、「外貨両替」ボタンを押下する。利用者が「外貨両替」ボタンを押下したことを利用者操作表示部１４が検出すると次へ移行する。
【００２６】
Ｓ１０２：装置制御部１０は利用者操作表示部１４に対し、図示しない外貨投入画面を表示するよう指示する。外貨投入画面は、利用者に対し利用者が所持する外貨を接客口２へ投入することを促す表示である。ここで利用者は複数種類の外貨を一括して投入することができる。利用者は事前に外貨の枚数及び金額を確認しておく必要がない。装置制御部１０は、紙幣処理部１２に対し接客口２のシャッタ５を開けるよう指示する。利用者が外貨を接客口２へ投入すると、装置制御部１０は紙幣処理部１２に対し、シャッタ５を閉じ、接客口２の接客口分離集積機構３２を駆動し、外貨を搬送路２１ａと２１ｂを経て鑑別部２２へ搬送するよう指示する。
【００２７】
Ｓ１０３：装置制御部１０は紙幣処理部１２に対し、鑑別部２２が外貨を鑑別し、計数するよう指示する。鑑別部２２は、投入された複数の外貨の種類及び枚数を鑑別する。例えば外貨１として１０ドル紙幣が１０枚、外貨２として１０ユーロ紙幣が２０枚であるとする。
【００２８】
Ｓ１０４：装置制御部１０は計算部１８に対し、鑑別部２２の計数結果から、外貨種類別の投入金額３８を計算するよう指示する。そして投入金額３８にレート３９を掛け、そして、手数料を引いた外貨毎の両替金額４０−１と合計両替金額４０−２を計算するよう指示する。例えば外貨１としてのレートがドル当たり９０円で、手数料を省略すると両替金額は９，０００円であり、外貨２としてのレートがユーロ当たり１００円で、手数料を省略すると両替金額は合計２０，０００円である。
【００２９】
Ｓ１０５：更に装置制御部１０は装置記憶部１１に対し、一括投入された複数種類の外貨について一枚毎に鑑別部２２を通過した順序（以下鑑別順序という）を記憶するよう指示する。例えばまず１０ドル紙幣が１０枚、続いて１０ユーロ紙幣が２０枚、鑑別部２２を通過したとする。鑑別順序は、先の１０枚が１０ドル紙幣、その後の２０枚が１０ユーロ紙幣である。換言すると、装置記憶部１１は鑑別部２２を通過した順序に従って外貨の種別を記憶する。
【００３０】
Ｓ１０６：装置制御部１０は紙幣処理部１２に対し、鑑別部２２を通過した外貨を一時保留部２３に格納するよう指示する。ステップ１０５において装置記憶部１１で記憶した鑑別順序は、一時保留部２３に格納した一枚毎の順序であり、後に一時保留部２３を繰り出す一枚毎の順序でもある。
Ｓ１０７：次に装置制御部１０は利用者操作表示部１４に対し、外貨両替内容確認画面３１を表示するよう指示する。
【００３１】
図５は第１の実施の形態に関する外貨両替内容確認画面を示す説明図である。外貨両替内容確認画面３１は利用者に対する案内表示３６として「日本円に両替を希望する外貨を押してください。」が表示される。そして、利用者に両替を希望する入金外貨を選択させるために外貨１について、選択ボタン３７−１の表示と、投入金額３８が＄１００、レート３９が９０円、日本円による両替金額４０−１が９，０００円として表示される。同様に、外貨２については、選択ボタン３７−２の表示と、投入金額３８が２００ユーロ、レート３９が１００円、日本円による両替金額４０−１が２０，０００円として表示される。同図では複数種類の外貨は２種類であり、手数料は省略してある。また、同図では選択ボタン３７−１及び３７−２は「外貨１」及び「外貨２」と表示されているが、「ドル」及び「ユーロ」という表示でもよい。更に、外貨両替内容確認画面３１には、複数種類の投入外貨の合計両替金額４０−２及び利用者の最終意思を決定する決定ボタン４１が表示される。
【００３２】
利用者は外貨１及び外貨２の両方の外貨の両替を希望する場合は、外貨１の選択ボタン３７−１及び外貨２の選択ボタン３７−２を押下する。また、利用者は外貨１のみ両替を希望し、外貨２は両替を希望しない場合は、外貨１の選択ボタン３７−１のみを押下する。その後利用者は決定ボタン４１を押下する。ここで装置制御部１０は装置記憶部１１に対し、利用者が投入した外貨のうち、返却を希望する外貨及び両替を希望する外貨を記憶するよう指示する。ここでは仮に返却を希望する外貨は外貨１であり、両替を希望する外貨は外貨２であるとする。
【００３３】
なお、前述の説明において、外貨両替内容確認画面３１は、複数種類の外貨のうち利用者に対し、両替を希望する外貨を選択させる意味で両替を希望する外貨１又は２の選択ボタン３７−１又は３７−２を押下させることとした。しかしながら、逆に、両替を希望しない外貨１又は２の選択ボタン３７−１又は３７−２を押下させることとしてもよい。即ち、外貨両替内容確認画面３１は例えば、案内表示３６として「日本円に両替を希望しない外貨を押してください。」と表示してもよい。外貨１の両替を希望する利用者は、両替を希望しない外貨２の選択ボタン３７−２を押下するので両替を希望する外貨１を選択したことになる。
【００３４】
Ｓ１０８：利用者が投入した外貨のうち一部の外貨のみ両替を希望する場合、即ち投入した外貨のうち返却を希望する外貨がある場合は、ステップ１０９へ移行し、投入した外貨の全部両替を希望する場合はステップ１１０へ移行する。
【００３５】
Ｓ１０９：利用者が投入した外貨の一部について返却を希望する場合は、図６及び図７で後述するように外貨収納返却処理を行う。即ち、両替を希望する外貨については、所定の金種別収納カセット２４ｘ、２４ｙ、２４ｚに搬送し、両替を希望しない外貨については、接客口２へ搬送する。その後ステップ１１１へ移行する。即ち、収納時の外貨の経路は、一時保留部２３の一時保留部分離集積機構３３から搬送路２１ｅ、２１ｃ及び２１ｂを経て鑑別部２２を通り、鑑別結果に従って搬送路２１ｇ〜２１ｋを経て、所定の金種別収納カセット２４ｘ、２４ｙ、２４ｚに集積される。
【００３６】
Ｓ１１０：利用者が投入した外貨の全部両替を希望する場合は、装置制御部１０は紙幣処理部１２に対し、一時保留部２３に格納した外貨について鑑別部２２を再度経由して、所定の金種別収納カセット２４ｘ、２４ｙ、２４ｚに搬送するよう指示する。
Ｓ１１１：外貨について、所定の金種別収納カセット２４ｘ、２４ｙ、２４ｚへの収納又は接客口２への排出が完了すると、装置制御部１０はレシート処理部１７に対し、図示しないレシートを印字し、カード挿入口４から排出するよう指示する。
【００３７】
Ｓ１１２：同時に、装置制御部１０は紙幣処理部１２に対し、所定の金種別収納カセット２４ｘ、２４ｙ、２４ｚから両替金額に相当する日本円を繰り出し、計数するとともに、接客口２へ搬送するよう指示する。硬貨を出金する場合は、装置制御部１０は硬貨処理部１３に対し、利用者に支払われる硬貨を図示しない硬貨収納部より繰り出し硬貨投入返却口３に集積するよう指示する。
【００３８】
次に、ステップ１０９における外貨収納返却処理について説明する。図６は第１の実の形態に関する外貨収納返却ルートを示す説明図であり、図７は第１の実施の形態に関する外貨収納返却処理（ステップ１０９）のフローチャートである。ステップ１０８において、利用者が投入した外貨のうち、仮に外貨１について返却を希望し、外貨２について両替を希望した場合について、以下のステップで外貨の収納と返却を行う。
【００３９】
Ｓ２０１：装置制御部１０は紙幣処理部１２に対し、一時保留部２３のピックアップローラからなる一時保留分離集積機構３３を駆動し、一時保留部２３に集積した外貨を一枚毎に搬送路２１ｅへ繰り出すよう指示する。
Ｓ２０２：装置制御部１０は紙幣処理部１２に対し、ローラ駆動モータを動作させ、搬送ローラを駆動するよう指示する。すると外貨は、切替ブレード２８の手前まで搬送路２１ｅを搬送される。
【００４０】
Ｓ２０３：装置制御部１０は装置記憶部１１に対し、記憶した一括投入された複数種類の外貨の鑑別順序を読み出すよう指示する。鑑別順序は前述のように一時保留部２３を繰り出す一枚毎の順序でもあり、先に返却希望の１０ドル紙幣が１０枚、その後両替希望の１０ユーロ紙幣が２０枚である。切替ブレード２８の手前まで搬送された第１枚目の外貨が返却を希望する１０ドル紙幣であるので、装置制御部１０は紙幣処理部１２に対し、切替ブレード２８を搬送路２１ｃ方向、即ち接客口２方向へ切り替えるよう指示する。なお、両替を希望する１０ユーロ紙幣の場合は、装置制御部１０は紙幣処理部１２に対し、切替ブレード２８を搬送路２１ｂ方向、即ち金種別収納カセット２４ｘ、２４ｙ、２４ｚ方向へ切り替えるよう指示する。このように一時保留部２３を繰り出した外貨は切替ブレード２８によって接客口２と金種別収納カセット２４ｘ、２４ｙ、２４ｚ方向へ振り分けられる。
【００４１】
Ｓ２０４：装置制御部１０は紙幣処理部１２に対し、外貨としての１０ドル紙幣を接客口２へ搬送するよう指示する。その後、ステップ２０８へ移行し、一時保留部２３に外貨がまだあればステップ２０１へ移行する。これを１０ドル紙幣の１０枚分繰り返す。
Ｓ２０５：１１枚目の外貨は１０ユーロ紙幣であるので、ステップ２０３において、切替ブレード２８は搬送路２１ｂ方向へ切り替えられる。そこで、装置制御部１０は紙幣処理部１２に対し、１０ユーロ紙幣を鑑別部２２へ搬送するよう指示する。
【００４２】
Ｓ２０６：装置制御部１０は紙幣処理部１２に対し、鑑別部２２で再度鑑別処理を行うよう指示する。
Ｓ２０７：装置制御部１０は紙幣処理部１２に対し、鑑別部２２の鑑別結果に従って、所定の金種別収納カセット２４ｘ、２４ｙ、２４ｚへ収納するよう指示する。
【００４３】
Ｓ２０８：装置制御部１０は紙幣処理部１２に対し、一時保留部２３にまだ外貨があるかどうかチェックするよう指示する。あればステップ２０１へ戻り、なければ次へ移行する。
Ｓ２０９：装置制御部１０は紙幣処理部１２に対し、接客口２に返却する外貨があるかどうかチェックするよう指示する。
Ｓ２１０：接客口２に返却する外貨があるので、装置制御部１０は紙幣処理部１２に対し、シャッタ５を開けるよう指示する。こうして、利用者は返却を希望した外貨としての１０ドル紙幣１０枚を受取ることができ、前記ステップ１１０以降により両替を希望する外貨としての１０ユーロ紙幣を両替することができる。
【００４４】
以上のように第１の実施の形態によれば、複数種類の外貨を一括して投入可能とし、更に利用者が両替を希望する複数種類の外貨の各投入金額３８を計数することを不要とし、かつ日本円へ両替を行った場合の各両替金額４０−１及び合計両替金額４０−２を計算することも不要とすることができる。更に、接客口２へ一括投入した入金外貨について、利用者操作表示画面７の外貨両替内容確認画面３１へ表示した各投入金額３８及び両替金額４０をもとにあらためて両替を希望する入金外貨の選択をすることができるので、誤って投入した外貨について返却することにより日本円への両替を避けることができ、利用者にとって使い勝手のよい自動取引装置を提供することができる。特に、ステップ１０９の外貨収納返却処理において、返却する外貨を一時保留部２３から繰り出した後、直ちに切替ブレード２８で接客口２方向へ切り替え、鑑別部２２を通過させないで接客口２へ排出することとしたので、処理時間の短縮につなげることができる。
【００４５】
（第２の実施の形態）
第２の実施の形態に関する構成は、第１の実施の形態に関する構成と同じであるので説明を省略する。前記第１の実施の形態では、装置制御部１０は複数種類の外貨について、鑑別順序を記憶し、利用者の選択により両替を希望する外貨と希望しない外貨が判明すると、記憶した順序に従って外貨の収納と返却を切り替えるものであった。第２の実施の形態では、鑑別部２２を通過する鑑別順序を記憶することはせずに、両替を希望する外貨と希望しない外貨が判明すると、一時保留部を繰出した後、再度鑑別部２２で鑑別することとした。この鑑別結果により、両替を希望する外貨は金種別収納カセット２４ｘ、２４ｙ、２４ｚ方向へ搬送し、返却を希望する外貨は接客口２方向へ搬送するよう振り分けるものである。
【００４６】
図８は第２の実施の形態に関する動作の概要を示すフローチャートである。前記第１の実施の形態に関する図１と異なるところは、ステップ１０５の鑑別順序を記憶するステップがないことであるので、以下簡単に説明する。
Ｓ３０１：装置制御部１０は利用者操作表示部１４に対し、図示しない取引選択画面を表示するよう指示する。取引選択画面は、第１の実施の形態と同じである。利用者が図示しない「外貨両替」ボタンを押下したことを利用者操作表示部１４が検出すると次へ移行する。
【００４７】
Ｓ３０２：装置制御部１０は利用者操作表示部１４に対し、図示しない外貨投入画面を表示するよう指示する。外貨投入画面は、第１の実施の形態と同じである。装置制御部１０は、紙幣処理部１２に対し接客口２のシャッタ５を開けるよう指示する。利用者が外貨を接客口２へ投入すると、装置制御部１０は紙幣処理部１２に対し、シャッタ５を閉じ、接客口２の接客口分離集積機構３２を駆動し、外貨を搬送路２１ａと２１ｂを経て鑑別部２２へ搬送するよう指示する。
【００４８】
Ｓ３０３：装置制御部１０は紙幣処理部１２に対し、鑑別部２２が外貨を鑑別し、計数するよう指示する。
Ｓ３０４：装置制御部１０は計算部１８に対し、鑑別部２２の計数結果から、外貨種類別の投入金額３８を計算するよう指示する。そして、外貨種類別の投入金額３８にレート３９を掛け、そして、手数料を引いた外貨毎の両替金額４０−１と合計両替金額４０−２を計算するよう指示する。
Ｓ３０５：装置制御部１０は紙幣処理部１２に対し、鑑別部２２を通過した外貨を一時保留部２３に搬送し格納するよう指示する。
【００４９】
Ｓ３０６：次に装置制御部１０は利用者操作表示部１４に対し、外貨両替内容確認画面３１を表示するよう指示する。外貨両替内容確認画面３１は第１の実施の形態と同じである。ここで装置制御部１０は装置記憶部１１に対し、利用者が投入した外貨のうち、返却を希望する外貨及び両替を希望する外貨を記憶するよう指示する。仮に返却を希望する外貨は外貨１（ドル）であり、両替を希望する外貨は外貨２（ユーロ）であるとする。
【００５０】
Ｓ３０７：利用者が投入した外貨のうち一部の外貨のみ両替を希望する場合、即ち投入した外貨のうち返却を希望する外貨がある場合は、ステップ３０８へ移行し、投入した外貨の全部両替を希望する場合はステップ３０９へ移行する。
Ｓ３０８：利用者が投入した外貨の一部について返却を希望する場合は、図９及び図１０で後述するように外貨収納返却処理を行う。即ち、両替を希望する外貨については、所定の金種別収納カセット２４ｘ、２４ｙ、２４ｚに搬送し、両替を希望しない外貨については、接客口２へ搬送する。その後ステップ３１０へ移行する。
【００５１】
Ｓ３０９：利用者が投入した外貨の全部両替を希望する場合は、装置制御部１０は紙幣処理部１２に対し、一時保留部２３に格納した外貨について鑑別部２２を再度通過して、所定の金種別収納カセット２４ｘ、２４ｙ、２４ｚに搬送するよう指示する。
Ｓ３１０：外貨について、金種別収納カセット２４ｘ、２４ｙ、２４ｚへの収納又は接客口２への排出が完了すると、装置制御部１０はレシート処理部１７に対し、図示しないレシートを印字し、カード挿入口４から排出するよう指示する。
【００５２】
Ｓ３１１：同時に、装置制御部１０は紙幣処理部１２に対し、所定の金種別収納カセット２４ｘ、２４ｙ、２４ｚから両替金額に相当する日本円を繰り出し、計数するとともに、接客口２へ搬送するよう指示する。硬貨を出金する場合は、装置制御部１０は硬貨処理部１３に対し、利用者に支払われる硬貨を図示しない硬貨収納部より繰り出し硬貨投入返却口３に集積するよう指示する。
【００５３】
次に、ステップ３０８における外貨収納返却処理について説明する。図９は第２の実の形態に関する外貨収納返却ルートを示す説明図であり、図１０は第２の実施の形態に関する外貨収納返却処理（ステップ３０８）のフローチャートである。前記ステップ３０７において、利用者が投入した外貨のうち、仮に外貨１について返却を希望し、外貨２について両替を希望した場合について、以下のステップで外貨の収納と返却を行う。
【００５４】
Ｓ４０１：装置制御部１０は紙幣処理部１２に対し、一時保留部２３のピックアップローラからなる一時保留分離集積機構３３を駆動し、一時保留部２３に集積した外貨を一枚毎に搬送路２１ｅへ繰り出すよう指示する。
Ｓ４０２：装置制御部１０は紙幣処理部１２に対し、図示しないローラ駆動モータを動作させ、搬送ローラを駆動するよう指示する。
【００５５】
Ｓ４０３：装置制御部１０は紙幣処理部１２に対し、外貨を一枚毎に鑑別部２２へ搬送するよう指示する。
Ｓ４０４：装置制御部１０は紙幣処理部１２に対し、鑑別部２２で再度鑑別処理を行うよう指示する。
【００５６】
Ｓ４０５：装置制御部１０は装置記憶部１１に対し、利用者が返却を希望する外貨１（ドル）及び両替を希望する外貨２（ユーロ）を読み出すよう指示する。装置制御部１０は鑑別処理の結果、鑑別部２２を通過した外貨が、外貨１（ドル）又は外貨２（ユーロ）であるかを判定する。即ち、外貨２（ユーロ）であれば両替を希望する外貨であるのでステップ４０７へ移行し、外貨１（ドル）であれば返却を希望する外貨であるのでステップ４０６へ移行する。装置制御部１０は紙幣処理部１２に対し、鑑別部２２を通過した外貨が、外貨２（ユーロ）であるとき、鑑別部２２の出口付近に設けた切替ブレード２９を所定の金種別収納カセット２４ｘ、２４ｙ、２４ｚ方向へ切り替えるよう指示する。そして、外貨１（ドル）であるときは、接客口２方向へ切り替えるよう指示する。
【００５７】
Ｓ４０６：装置制御部１０は紙幣処理部１２に対し、外貨１としての１０ドル紙幣を接客口２へ搬送するよう指示する。その後、ステップ４０８へ移行し、一時保留部２３に外貨がまだあればステップ４０１へ移行する。これを１０ドル紙幣の１０枚分繰り返す。
Ｓ４０７：装置制御部１０は紙幣処理部１２に対し、鑑別部２２の鑑別結果に従って、１１枚目である外貨２としての１０ユーロ紙幣を所定の金種別収納カセット２４ｘ、２４ｙ、２４ｚへ収納するよう指示する。
【００５８】
Ｓ４０８：装置制御部１０は紙幣処理部１２に対し、一時保留部２３にまだ外貨があるかどうかチェックするよう指示する。あればステップ２０１へ戻り、なければ次へ移行する。
Ｓ４０９：装置制御部１０は紙幣処理部１２に対し、接客口２に返却する外貨があるかどうかチェックするよう指示する。
【００５９】
Ｓ４１０：接客口２に返却する外貨があるので、装置制御部１０は紙幣処理部１２に対し、シャッタ５を開けるよう指示する。こうして、利用者は返却を希望した外貨としての１０ドル紙幣１０枚を受取ることができ、前記ステップ３０９以降により両替を希望する外貨としての１０ユーロ紙幣を両替することができる。
【００６０】
以上のように第２の実施の形態によれば、前記第１の実施の形態と同様の効果を有することに加え、次のような特有な効果を有する。即ち、外貨収納返却処理において、返却する外貨を一時保留部２３から繰り出した後、鑑別部２２で再度鑑別した後、接客口２と金種別収納カセット２４ｘ、２４ｙ、２４ｚへ振り分けることとしたので、誤りなく振り分けることが可能となる。
【００６１】
（第３の実施の形態）
第３の実施の形態に関する構成は、第１の実施の形態に関する構成に比較し、紙幣処理部１２において、取消庫２６を有する点である。図１１は第３の実施の形態に関する外貨収納返却ルートを示す説明図である。取消庫２６は搬送路２１の末端に設けられ、利用者により両替を希望しなかった入金外貨を一端格納する。取消庫２６は内部に取消庫集積機構３６を有する。
【００６２】
第３の実施の形態に関する動作の概要については、第２の実施の形態と同じであるので説明を省略する。図１２は第３の実施の形態に関する外貨収納返却処理（ステップ３０８）のフローチャートである。前記ステップ３０７において、利用者が投入した外貨のうち、仮に外貨１（ドル）について返却を希望し、外貨２（ユーロ）について両替を希望した場合について、以下のステップで外貨の収納と返却を行う。
【００６３】
Ｓ５０１〜Ｓ５０５：前記図１０におけるステップ４０１〜ステップ４０５と同じである。
Ｓ５０６：装置制御部１０は紙幣処理部１２に対し、外貨１としての１０ドル紙幣を取消庫２６へ搬送するよう指示する。その後、ステップ５０８へ移行し、一時保留部２３に外貨がまだあればステップ５０１へ移行する。これを１０ドル紙幣の１０枚分繰り返す。
【００６４】
Ｓ５０７：装置制御部１０は紙幣処理部１２に対し、鑑別部２２の鑑別結果に従って、１１枚目である外貨２としての１０ユーロ紙幣を所定の金種別収納カセット２４ｘ、２４ｙ、２４ｚへ収納するよう指示する。
Ｓ５０８：装置制御部１０は紙幣処理部１２に対し、一時保留部２３にまだ外貨があるかどうかチェックするよう指示する。あればステップ５０１へ戻り、なければ次へ移行する。
【００６５】
Ｓ５０９：装置制御部１０は紙幣処理部１２に対し、取消庫２６に格納した外貨１としての１０ドル紙幣を接客口２へ搬送するよう指示する。
Ｓ５１０：装置制御部１０は紙幣処理部１２に対し、接客口２に返却する外貨があるかどうかチェックするよう指示する。
Ｓ５１１：接客口２に返却する外貨があるので、装置制御部１０は紙幣処理部１２に対し、シャッタ５を開けるよう指示する。こうして、利用者は返却を希望した外貨としての１０ドル紙幣１０枚を受取ることができ、前記ステップ３０９以降により両替を希望する外貨としての１０ユーロ紙幣を両替することができる。
【００６６】
以上のように第３の実施の形態によれば、前記第１の実施の形態と同様の効果を有することに加え、次のような特有な効果を有する。即ち、外貨収納返却処理において、返却する外貨を一時保留部２３から繰り出した後、鑑別部２２で再度鑑別した後、取消庫２６と金種別収納カセット２４ｘ、２４ｙ、２４ｚへ振り分けることとしたので、誤りなく振り分けることが可能となる。
【００６７】
（変形例）
前記第１乃至第３の実施の形態は、複数種の入金外貨を一括投入し、これを計数鑑別し、表示することにより、両替を希望する外貨と両替を希望しない外貨を選択可能とするものであった。変形例は、表示した入金外貨の一部の金額について両替を希望することを選択可能とするものである。
【００６８】
図１３は実施の形態の変形例に関する外貨両替内容確認画面を示す説明図である。まず同図（ａ）において、外貨両替内容確認画面３１は利用者に対する案内表示３６として「日本円に両替を希望する外貨又は一部両替を押してください。」が表示される。そして、利用者に入金外貨から両替を希望する入金外貨を選択させるために外貨１の選択ボタン３７−１の表示と、投入金額３８が＄１００、レート３９が９０円、日本円の両替金額４０−１が９，０００円と表示される。同様に、外貨２の選択ボタン３７−２の表示と、投入金額３８が２００ユーロ、レート３９が１００円、日本円の両替金額４０−１が２０，０００円と表示される。同図では複数種類の外貨は２種類であり、手数料は省略してある。そして、複数種類の投入外貨の合計両替金額４０−２、利用者の最終意思を決定する決定ボタン４１及び外貨の一部の金額について両替を希望するときに押下する一部両替ボタン４２が表示される。
【００６９】
利用者は外貨１及び外貨２の両方の外貨の両替を希望する場合は、外貨１の選択ボタン３７−１及び外貨２の選択ボタン３７−２を押下する。また、利用者は外貨１のみ両替を希望し、外貨２は両替を希望しない場合は、外貨１の選択ボタン３７−１のみを押下する。そして選択した外貨の一部の金額について両替を希望するときは一部両替ボタン４２を押下する。最後に利用者は決定ボタン４１を押下する。なお、一部の金額について両替を希望しないときは、利用者は決定ボタン４１を押下する。その場合の動作は前記第１乃至第３の実施の形態と同じである。
【００７０】
次に、外貨両替内容確認画面３１は同図（ｂ）に示す状態に変化する。外貨両替内容確認画面３１は次の案内表示４３として「一部両替する外貨を選択してください。」が表示される。そして、外貨１の選択ボタン３７−１、外貨２の選択ボタン３７−２が表示される。更に決定ボタン４４が表示される。一部両替する外貨を仮に外貨１とすると、利用者は選択ボタン３７−１を押下し、決定ボタン４４を押下する。
【００７１】
次に、外貨両替内容確認画面３１は同図（ｃ）に示す状態に変化する。外貨両替内容確認画面３１は次の案内表示４５として「外貨１の一部両替する金額を指定してください。」及び「外貨１の投入金額＄１００」が表示される。そして金額を入力するテンキー４６及び入力した金額を表示する一部両替指定金額表示欄４７が表示される。そして、取消ボタン４８及び決定ボタン４９が表示される。利用者は外貨１について、仮に＄８０の両替を希望するとき、テンキー４６より、「＄８０」（以下一部両替指定金額という）を入力すると、一部両替指定金額表示欄４７に「＄８０」が表示される。利用者は決定ボタン４９を押下する。この一部両替指定金額は装置制御部１０の制御により装置記憶部１１に記憶される。
【００７２】
変形例は前記第１乃至第３の実施の形態との組合せで実施可能である。即ち、第１の実施の形態において、変形例を適用する場合、ステップ１０７において、装置制御部１０は装置記憶部１１に対し、返却を希望する外貨及び両替を希望する外貨を記憶するよう指示するとともに一部両替指定金額も記憶するよう指示する。そして、ステップ１０９において、利用者の投入金額３８が＄１００に対し、＄８０を収納処理し、＄２０を返却処理することになる。
【００７３】
また、第２及び第３の実施の形態において、変形例を適用する場合、ステップ３０６において、同様に装置制御部１０は装置記憶部１１に対し、返却を希望する外貨及び両替を希望する外貨を記憶するよう指示するとともに一部両替指定金額も記憶するよう指示する。そして、ステップ３０８において、利用者の投入金額３８が＄１００に対し、＄８０を収納処理し、＄２０を返却処理することになる。
【００７４】
変形例によれば、一括投入した各外貨について全額両替するのでなく、一部両替することが可能であるので、利用者にとって使い勝手のよい通貨両替が可能な自動取引装置を提供することができる。
【００７５】
前記の実施の形態において、複数の外貨から日本円への両替を例に説明したが、日本円及び外貨の混在した複数の紙幣から当該外貨と異なる外貨への両替の場合も本発明は適用可能である。この場合は、日本に旅行に来た外国人旅行者が日本円及び所定の外貨が混在した複数の紙幣から第三国の通貨への両替を希望するときに有効である。また、本発明は日本円への両替に限らず、複数国の通貨からこれと異なる他国の通貨への両替の場合も適用可能である。
【符号の説明】
【００７６】
１        ＡＴＭ（自動取引装置）
２        接客口
７        利用者操作表示画面
１０      装置制御部
１１      装置記憶部
１２      紙幣処理部
１４      利用者操作表示部
１８      計算部
２１      搬送路
２２      鑑別部
２３      一時保留部
２４      金種別カセット
３７      選択ボタン
３８      投入金額
３９      レート
４０−１      両替金額
４０−２      合計両替金額
【図１】
2014115762.tif 000003
【図２】
2014115762.tif 000004
【図３】
2014115762.tif 000005
【図４】
2014115762.tif 000006
【図５】
2014115762.tif 000007
【図６】
2014115762.tif 000008
【図７】
2014115762.tif 000009
【図８】
2014115762.tif 000010
【図９】
2014115762.tif 000011
【図１０】
2014115762.tif 000012
【図１１】
2014115762.tif 000013
【図１２】
2014115762.tif 000014
【図１３】
2014115762.tif 000015